(57)【要約】【課題】風呂の追い焚きや暖房用の外熱交換器を断熱しながら固定した貯湯装置を提供するものである。【解決手段】湯水を貯湯する貯湯タンク１と、前記貯湯タンク１内の湯水を加熱する加熱手段４と、前記貯湯タンク１内の温水を循環させる一次側循環回路１２と、前記一次側循環回路１２を循環する温水と二次側循環回路１５を循環する循環液とを熱交換させる箱形の外熱交換器１１とを備え、二次側循環回路１５で風呂の追い焚きや暖房を行うようにしたもので、前記貯湯タンク１を発泡断熱材から成るタンク断熱材２３で覆うと共に、外熱交換器１１を発泡断熱材で形成した断熱箱２５に収納した状態でタンク断熱材２３に形成された熱交収納部２４に収納することで固定したことで、断熱しながら強固に固定されたものである。【選択図】図３
2010025454.tif 000002
【特許請求の範囲】
【請求項１】
湯水を貯湯する貯湯タンクと、前記貯湯タンク内の湯水を加熱する加熱手段と、前記貯湯タンク内の温水を循環させる一次側循環回路と、前記一次側循環回路を循環する温水と二次側循環回路を循環する循環液とを熱交換させる箱形の外熱交換器とを備え、二次側循環回路で風呂の追い焚きや暖房を行うようにしたものに於いて、前記貯湯タンクを発泡断熱材から成るタンク断熱材で覆うと共に、外熱交換器を発泡断熱材で形成した断熱箱に収納した状態でタンク断熱材に形成された熱交収納部に収納することで固定した事を特徴とする貯湯装置。
【請求項２】
前記外熱交換器を収納する断熱箱は、タンク断熱材に形成された熱交収納部より稍大きく、先端部分には入り込みやすいようにテーパ面を形成した事を特徴とする請求項１記載の貯湯装置。
【発明の詳細な説明】
【技術分野】
【０００１】
この発明は、貯湯タンク内の温水を外熱交換器を利用して風呂の追い焚きや暖房を行う貯湯装置に関するものである。
【背景技術】
【０００２】
従来よりこの種の貯湯装置に於いては、貯湯タンク外に該貯湯タンク内の温水と循環液とを熱交換する外熱交換器を備え、風呂の保温や追い焚き或いは暖房を行うようにしたものであった。（例えば、特許文献１参照。）
【特許文献１】特開２００８−３２２８２号公報
【発明の開示】
【発明が解決しようとする課題】
【０００３】
ところでこの従来のものでは、外熱交換器の断熱方法が大きな問題で、この断熱が良くないとこの外熱交換器から大量に放熱され、貯湯熱量が減少すると共に暖房等の二次側との熱交換も良好に行われずに効率の悪い暖房等となるものであり、又この外熱交換器を断熱した状態で固定する必要があるが、良好な断熱状態を保って外熱交換器を固定することがなかなか出来ないと言う課題を有するものであった。
【課題を解決するための手段】
【０００４】
この発明は、上記課題を解決する為、特に請求項１の構成では、湯水を貯湯する貯湯タンクと、前記貯湯タンク内の湯水を加熱する加熱手段と、前記貯湯タンク内の温水を循環させる一次側循環回路と、前記一次側循環回路を循環する温水と二次側循環回路を循環する循環液とを熱交換させる箱形の外熱交換器とを備え、二次側循環回路で風呂の追い焚きや暖房を行うようにしたものに於いて、前記貯湯タンクを発泡断熱材から成るタンク断熱材で覆うと共に、外熱交換器を発泡断熱材で形成した断熱箱に収納した状態でタンク断熱材に形成された熱交収納部に収納することで固定したものである。
【０００５】
又請求項２によれば、前記外熱交換器を収納する断熱箱は、タンク断熱材に形成された熱交収納部より稍大きく、先端部分には入り込みやすいようにテーパ面を形成したものである。
【発明の効果】
【０００６】
この発明によれば、外熱交換器は発泡断熱材で形成された断熱箱内に収納されるので、放熱は確実に防止され良好に断熱されるものであり、更に外熱交換器はこの断熱箱に収納された状態で、タンク断熱材の熱交収納部に収納されるので、更に断熱効果が向上すると共に、何ら部品を追加することなく外熱交換器を簡単に固定することが出来るものであり、貯湯タンク内の蓄熱を無駄にすることなく効率良く使用出来、短時間に風呂を沸き上げたり、快適な暖房を長時間継続出来る等の効果を有するものである。
【０００７】
又請求項２によれば、断熱箱は熱交収納部に押し込まれて収納されるので、ガタツクことがなく強固に固定されるものであり、しかも先端部分のテーパ面の形成でスムーズに嵌め込むことが出来、確実に固定することが出来るものである。
【発明を実施するための最良の形態】
【０００８】
この発明の貯湯装置の一実施形態を図面に基づいて説明する。
１は湯水を貯湯する貯湯タンク、２は貯湯タンク１の下部に接続された給水管、３は貯湯タンク１の上部に接続された給湯管、４は貯湯タンク１内の湯水を加熱するヒートポンプ式の加熱手段、５は貯湯タンク１下部と加熱手段４と貯湯タンク１上部とを貯湯タンク１内の湯水が循環可能に接続するヒーポン循環回路、６はヒーポン循環回路５途中に設けられたヒーポン循環ポンプである。また、図示しないが給湯管３から分岐して浴槽への湯張り回路が設けられている。
【０００９】
前記加熱手段４は、冷媒を圧縮する圧縮機７、高温高圧の冷媒から貯湯タンク１の湯水へ放熱する水熱交換器８、冷媒を減圧する膨張弁９、低温低圧の冷媒を空気との熱交換で蒸発させる空気熱交換器１０を環状に接続して構成されている。
【００１０】
１１は貯湯タンク１内の湯水で二次側の暖房用循環液を加熱するための暖房用の外熱交換器で、プレート式でコンパクトに構成され貯湯タンク１の周辺に位置するものである。１２は前記貯湯タンク１内の湯水を外熱交換器１１へ循環させるための一次側循環回路、１３は一次側循環回路１２途中に設けられた一次側暖房ポンプ、１４は温水式床暖房パネル等の温水暖房端末器、１５は外熱交換器１１の二次側と温水暖房端末器１４とを暖房用循環液が循環可能に接続する二次側循環回路、１６は二次側循環回路１５途中に設けられた二次側暖房ポンプである。
【００１１】
１７は貯湯タンク１の側面上下に複数設けられた貯湯温度センサ、１８は加熱手段４への入水温度を検知するヒーポン往き温度センサで、ヒーポン戻り側のヒーポン戻り温度センサ１９との温度差により、給湯制御部２０を介してヒーポン循環ポンプ６等の運転を制御するものであり、２１は外熱交換器１１への湯水の流入温度を検知する暖房往き温度センサで、湯水の戻り側の暖房戻り温度センサ２２との温度差により、一次側暖房ポンプ１３等の運転を制御するものである。
【００１２】
２３は貯湯タンク１外周を覆う耐熱性発泡ポリスチレの発泡断熱材から成るタンク断熱材で、上下と中央の前後と４分割されており、又中央前側には成型時に予め縦長の長方形に開口した熱交収納部２４が形成されている。
２５は発泡断熱材で５面成型した箱状の断熱箱で、外熱交換器１１を背面が露呈した状態で収納し、これを前記熱交収納部２４に嵌め込み外熱交換器１１を固定するものであり、又この断熱箱２５の嵌め込む側の先端には４面共に、先端に向かって徐々に細くなるようにテーパ面２６が形成され、更に断熱箱２５は熱交収納部２４より稍大きく形成され、嵌め込まれた時にガタツクことなく強固に固定されるようにしたものである。
２７は発泡断熱材を外から覆う外枠である。
【００１３】
次にこの一実施形態の作動について説明する。
深夜時間帯になると翌朝までの間に加熱手段４とヒーポン循環ポンプ６を運転し、貯湯タンク１の下部から取り出した低温の湯水を水熱交換器８で所定の高温になるように加熱して貯湯タンク１の上部へ戻すようにして、前日及び過去の給湯実績より学習した最低限貯湯タンク１に貯湯しておかなくてはならない学習最低貯湯量以上の沸き上げ運転を行うものである。
【００１４】
そして、給湯管３の終端に設けられている蛇口が開かれると、貯湯タンク１下部の給水管２から市水が貯湯タンク１内に給水され、貯湯タンク１上部の給湯管３から高温の湯水が給湯される。
【００１５】
次に暖房の運転について説明すると、昼間時間帯の開始直後等の貯湯タンク１内に学習最低貯湯量以上の熱量が確保されている場合に於いて、暖房要求があると、一次側循環ポンプ１３と二次側循環ポンプ１６を駆動して、貯湯タンク１内上部の高温水を外熱交換器１１の一次側へ循環させ、二次側へ放熱して貯湯タンク１の下部へ一次循環回路１２を介して戻される一方、二次側においては、外熱交換器１１で加熱された温水が温水暖房端末器１４へ循環して被暖房空間で放熱した後、再度外熱交換器１１へ戻って加熱されることで暖房運転を行うものである。
【００１６】
更に外熱交換器１１は、断熱箱２５内に収納されながらタンク断熱材２３の熱交収納部２４に、該断熱箱２５と共に嵌め込まれているので、外熱交換器１１からの放熱は確実に阻止され、無駄がなく効率の良い暖房を得ることが出来るものであり、又外熱交換器１１はここで固定されることになるから、固定用の特別な部品も不要であり、熱交収納部２４より断熱箱２５が稍大きくて先端部分のテーパ面２６で、無理矢理に押し込まれて嵌り込むので、がたついたり外れたりする心配がなく、強固に固定され安心して使用出来るものであり、断熱と固定とを発泡断熱材によるワンタッチの嵌め込みで行われ、極めて容易で使用勝手も良いものである。
【００１７】
次に図４に示す他の実施形態について説明するが、前記した実施形態と同一部分は同一符号を付し説明を省略、相違点のみ説明すれば、外熱交換器１１を収納する断熱箱２５を、前側断熱箱２８と後側断熱箱２９に２分割し、外熱交換器１１を前後から最中状に包み込むようにしたもので、後側断熱箱２９の周壁にはテーパ面３０が形成されており、タンク断熱材２３の熱交収納部２４に嵌め込まれた状態では、断熱材が二重になって断熱することとなり、更に断熱効果が向上するものである。
【図面の簡単な説明】
【００１８】
【図１】この発明の一実施形態を示す貯湯装置の概略構成図。
【図２】同要部概略説明図。
【図３】同要部説明図。
【図４】他の一実施形態を示す要部説明図。
【符号の説明】
【００１９】
１  貯湯タンク
４  加熱手段
５  ヒーポン循環回路
１１  外熱交換器
１２  一次側循環回路
１５  二次側循環回路
２３  タンク断熱材
２４  熱交収納部
２５  断熱箱
【図１】
2010025454.tif 000003
【図２】
2010025454.tif 000004
【図３】
2010025454.tif 000005
【図４】
2010025454.tif 000006